(57)【要約】【課題】プラスチック材料の溶融・混練中に発生する揮発性物質のガスを捕集し、そのガスに基づく凝縮液を排気孔に導いて排出することができ、また、メンテナンスを容易に行うことができる押出機のベントボックスを提供する。【解決手段】本押出機のベントボックス10は、側面をなす壁体11と、上面をなし、のぞき窓部が設けられた天板13と、底面をなし、壁体11の内周面内側に環状溝16を形成する側壁15aを備えるベント金物15と、壁体11の内周面に開口する排気孔17と、天板13に対向する上開口部から次第に拡径して下開口部にわたる傘面部を備えるガス捕集傘20と、そのガス捕集傘20を壁体11に固定する傘取付手段35とを有している。そして、ガス捕集傘20は、ベントボックス10内で生成される凝縮液がその傘面部を介して環状溝16に落下するように配設されている。【選択図】図１
2019038171.tif 000002
【特許請求の範囲】
【請求項１】
側面をなす壁体と、上面をなし、のぞき窓部が設けられた天板と、底面をなし、前記壁体の内周面内側に環状溝を形成する側壁を備えるベント金物と、前記壁体の内周面に開口する排気孔と、前記天板に対向する上開口部から次第に拡径して下開口部にわたる傘面部を備えるガス捕集傘と、そのガス捕集傘を前記壁体に固定する傘取付手段と、を有してなる押出機のベントボックスであって、
前記ガス捕集傘は、前記ベントボックス内で生成される凝縮液がその傘面部を介して前記環状溝に落下するように配設されてなる押出機のベントボックス。
【請求項２】
傘取付手段は、ガス捕集傘の傘面部の縁から垂下し、環状溝に起立する複数の起立板からなり、または、ガス捕集傘に設けられる係止金具と壁体又は天板に配設される釣金具からなることを特徴とする請求項１に記載のベントボックス。
【発明の詳細な説明】
【技術分野】
【０００１】
本発明は、押出機の混練時の揮発性物質に起因するガス及びそのガスの凝縮により生じる凝縮液の排出を行うベントボックスに関する。
【背景技術】
【０００２】
プラスチック材料を溶融させながら混練する押出機においては、その過程で原料樹脂や添加材中に含まれる揮発性物質に起因するガスの発生とそのガスの凝縮が生じるので、これらのガス及び凝縮液を排出するためのベントボックスが設けられている。この凝縮液が混練中のプラスチック材料に混入すると製品不良を生じる。このため、揮発性物質に起因するガス及び凝縮液の排出を適切かつ充分に行うための種々の提案がなされている。
【０００３】
例えば、特許文献１に、スクリュを有するシリンダの上部に設けられたベント金物と、前記ベント金物の上部に設けられたベントボックスと、前記ベントボックスの排気孔に設けられた排気管とからなり、前記ベントボックスの天板部の天板内面は前記排気孔へ向けて下がるように傾斜し、前記排気管はその先端が前記シリンダ側へ下がるように傾斜して構成されているスクリュ式押出機のベント構造であって、前記ベントボックスの内周側に前記ベント金物の頂部を周回する堰を有するベント構造が提案されている。このベント構造は、凝縮した液滴が、天板内面を伝わって、ベントボックス内表面で凝縮した液滴とともに流下し、前記堰に溜まって排気管から吸引排出されるようになっている。
【０００４】
特許文献２に、樹脂溶融体混練時に発生する有機気化成分を除去する気化成分除去装置であって、有機気化成分の凝縮物を捕集する気化成分除去装置内側壁と堰で形成される溝を有し、かつ、前記堰と気化成分除去装置内側壁間の角度（α）が鋭角を成す気化成分除去装置が提案されている。この気化成分除去装置は、ベントポート内壁で冷却され液状となった気化成分を溝に捕集し、途絶えることなく流動・排出させることができるとされる。
【０００５】
特許文献３に、熱可塑性樹脂組成物を押し出すスクリュー押出機の真空ベント部において、真空ベントアダプター開口部が底部から上部に斜めに位置し、当該開口部から延長されたベントボックスののぞき窓の位置が真空ベントアダプターの外周外に設けられている真空ベント部が提案されている。この真空ベント部は、原料樹脂や添加材中に含まれる揮発性物質や水分等を完全に系外に排出することができ、のぞき窓に付着した凝縮液がシリンダー内に逆流しないので、造粒中のペレットが着色せず、品質を保つことができるとされる。
【先行技術文献】
【特許文献】
【０００６】
【特許文献１】特開2006-26998号公報
【特許文献２】特開2009-248321号公報
【特許文献３】特開2009-73066号公報
【発明の概要】
【発明が解決しようとする課題】
【０００７】
押出機においてプラスチック材料の溶融・混練中に発生した揮発性物質に起因する凝縮液は、ベントボックス（ベントポート）の天板部、のぞき窓又は内壁部などに生じる。このため、特許文献１又は２に記載するように、ベントボックスの天板部又は内壁などに生じた凝縮液を捕集する堰又は溝を設けるのが好ましい。また、特許文献１に記載するように凝縮液の流下を促進する傾斜した天板部や排気管を設けることは好ましい。しかしながら、堰又は溝に凝縮液を集め、これを排気孔から確実に排出することは容易でない。また、凝縮液のうち、ベントボックスの天板部や内壁にそのまま固化・付着するものもあり、凝縮液の流動が妨げられるとともに、更に凝縮液の固化・付着を促進するという問題がある。
【０００８】
本発明は、このような従来の問題点に鑑み、プラスチック材料の溶融・混練中に発生する揮発性物質のガスを積極的に捕集して排気孔から排出させるとともに、そのガスに起因する凝縮液を排気孔に導いて排出することができ、また、メンテナンスを容易に行うことができる押出機のベントボックスを提供することを目的とする。
【課題を解決するための手段】
【０００９】
本発明に係る押出機のベントボックスは、側面をなす壁体と、上面をなし、のぞき窓部が設けられた天板と、底面をなし、前記壁体の内周面内側に環状溝を形成する側壁を備えるベント金物と、前記壁体の内周面に開口する排気孔と、前記天板に対向する上開口部から次第に拡径して下開口部にわたる傘面部を備えるガス捕集傘と、そのガス捕集傘を前記壁体に固定する傘取付手段と、を有してなる押出機のベントボックスであって、前記ガス捕集傘は、前記ベントボックス内で生成される凝縮液がその傘面部を介して前記環状溝に落下するように配設されてなる。
【００１０】
上記発明において、傘取付手段は、ガス捕集傘の傘面部の縁から垂下し、環状溝に起立する複数の起立板からなり、または、ガス捕集傘に設けられる係止金具と壁体又は天板に配設される釣金具からなるものとすることができる。
【発明の効果】
【００１１】
本発明に係る押出機のベントボックスは、プラスチック材料の溶融・混練中に発生する揮発性物質のガスを積極的に捕集して排気孔から排出させるとともに、そのガスに起因する凝縮液を排気孔に導いて排出することができる。また、本押出機のベントボックスは、メンテナンスを容易に行うことができるので、揮発性物質のガスに起因する凝縮液のベントボックス内部への固化・付着を防止することができる。
【図面の簡単な説明】
【００１２】
【図１】本発明に係る押出機のベントボックスの構成を示す正面断面図である。
【図２】図１に示すガス捕集傘の斜視図である。
【図３】ガス捕集傘斜の傘取付手段の説明図である。
【発明を実施するための形態】
【００１３】
以下、本発明を実施するための形態について図面を基に説明する。図１は、本発明に係る押出機のベントボックスの構成を示す正面断面図である。図１に示すように、本押出機のベントボックス10は、側面をなす壁体11と、上面をなし、のぞき窓部が設けられた天板13と、底面をなし、壁体11の内周面内側に環状溝16を形成する側壁15aを備えるベント金物15と、壁体11の内周面に開口する排気孔17と、天板13に対向する上開口部から次第に拡径して下開口部にわたる傘面部を備えるガス捕集傘20と、そのガス捕集傘20を壁体11に固定する傘取付手段35とを有している。そして、ガス捕集傘20は、ベントボックス10内で生成される凝縮液がその傘面部を介して環状溝16に落下するように配設されている。また、このガス捕集傘20に捕集されたガスは、排気孔17から排出されやすいようになっている。
【００１４】
本ベントボックス10は、その内部の所定の位置に傘取付手段35により固定することができるガス捕集傘20を有していることが特徴である。このガス捕集傘20は、図２に示すように、傘面部210が上開口部211から次第に拡径して下開口部212にわたる態様を有してなる。そして、このガス捕集傘20は、これを支持するための傘取付手段35によりベントボックス10の内部に固定されるようになっている。
【００１５】
ガス捕集傘20は、ベントボックス10の内部の所定位置に固定することができ、容易に着脱可能になっていればよい。例えば、図１に示すように、傘取付手段35は、ガス捕集傘20の傘縁から垂下する複数の起立板から構成することができる。この起立板は環状溝16から起立するように設けられている。
【００１６】
傘取付手段35は、種々の手段を採用することができ、ガス捕集傘20に設けられた係止金具22と壁体11又は天板13に配設された釣金具36から構成することができる。例えば、傘取付手段35は、図３に示す手段を採用することができる。図３において、傘取付手段35は、ガス捕集傘20に設けられた係止金具221（図２）と天板13に止着される釣金具361とからなる。また、傘取付手段35は、ガス捕集傘20に設けられた係止金具223と壁体11に止着される吊金具363とからなる。また、傘取付手段35は、ガス捕集傘20に設けられた係止金具225と壁体11に止着される吊金具365からなるものとすることができる。上記吊金具36は、これが配設される位置を複数箇所設定することにより、また、吊金具36の長さなどを調整可能にすることにより、ガス捕集傘20を複数箇所位置・高さに固定することができるようになる。
【００１７】
上記傘取付手段35は、ガス捕集傘20との係着が解除できるようになっているのがよい。すなわち、ガス捕集傘20は、天板13を取り外し、傘取付手段35の係着を解除してベントボックス10外部に取り出すことができる。そして、必要に応じてガス捕集傘20を清掃することができる。
【００１８】
ガス捕集傘20の上開口部211は、上述のように天板13に対向しており、天板13に設けられたのぞき窓部から押出機の混練状態を観察することができるようになっている。この上開口部211の大きさは、混練状態を観察するに充分であって、混練物から発生するガスを充分に捕集できる大きさになっている。図２の例の場合は、上開口部211に口部枠211aが設けられ必要に応じた強度を有する形態になっている。下開口部212は、押出機のスクリュ軸方向に開口しており、その大きさはベントボックス10の内部大きさにほぼ等しい大きさになっている。この場合は、ガス捕集傘20の傘面部210の縁が壁体11に近接した位置にあり、ガス捕集傘20から落下する凝縮液が環状溝16に落下するようになっている。また、プラスチック材料の溶融・混練中に発生する揮発性物質のガスが充分に捕集され、排気孔17に誘導されるようになっている。
【００１９】
本ベントボックスにおいて、天板13は、図１に示すように排気孔17の方向に向け、下方に傾斜するように設けるのがよい。また、排気孔17も壁体11から下方に傾斜するように設けるのがよい。ベント金物15は、壁体11の内周面内側に環状溝16を形成する側壁15aを備えている。環状溝16の深さ（側壁15aの高さ）及び幅は、所定の大きさに決められる。
【符号の説明】
【００２０】
10    ベントボックス
11    壁体
13    天板
15    ベント金物
16    環状溝
17    排気孔
20    ガス捕集傘
210  傘面部
211  上開口部
212  下開口部
22    係止金具
221、223、225  係止金具
35    傘取付手段
36    吊金具
361、363、365  吊金具
【図１】
2019038171.tif 000003
【図２】
2019038171.tif 000004
【図３】
2019038171.tif 000005